(57)【要約】【課題】提供されている膨大なコンテンツの数量に対応し、視聴者の生活スタイル、生活時間にあったコンテンツを提示して、コンテンツ選択視聴を行うことができるコンテンツ選択視聴装置、方法およびプログラムを提供する。【解決手段】視聴者がコンテンツを視聴した視聴履歴に基づいて、当該視聴者の生活時間に適応する生活時間適応コンテンツの候補を提示することによって、当該生活時間適応コンテンツの候補を選択して視聴するコンテンツ選択視聴装置１であって、受信部３と、コンテンツメタデータ群蓄積部９と、視聴履歴記録部１３と、ユーザープリファレンスデータ生成部１５と、ユーザープリファレンスデータ記録部１７と、入力部５と、検索フィルタリング部１９と、入力切替出力部７と、ＭＰＥＧデコーダ部１１とを備えた。【選択図】      図１
2004297605.tif 000002
【特許請求の範囲】
【請求項１】
視聴者がコンテンツを視聴した視聴履歴に基づいて、当該視聴者の生活時間に適応する生活時間適応コンテンツの候補を提示することによって、当該生活時間適応コンテンツの候補を選択して視聴するコンテンツ選択視聴装置であって、
前記コンテンツおよびこのコンテンツの識別情報であるメタデータを受信するコンテンツ受信手段と、
このコンテンツ受信手段で受信したコンテンツおよびメタデータを記録するコンテンツメタデータ記録手段と、
前記視聴者が視聴した前記コンテンツを、前記メタデータに基づいて、各曜日の所定時間帯別にまとめた視聴履歴を記録する視聴履歴記録手段と、
この視聴履歴記録手段に記録された視聴履歴に基づいて、前記生活時間適応コンテンツに関する情報であるユーザープリファレンスデータを生成するユーザープリファレンスデータ生成手段と、
このユーザープリファレンスデータ生成手段で生成されたユーザープリファレンスデータを記録するユーザープリファレンスデータ記録手段と、
前記視聴者の操作入力によって制御信号を出力する制御信号出力手段と、
この制御出力手段によって出力された制御信号と、前記メタデータと、前記ユーザープリファレンスデータとに基づいて、前記生活時間適応コンテンツの候補を検索するコンテンツ検索フィルタリング手段と、
このコンテンツ検索フィルタリング手段によって検索された生活時間適応コンテンツの候補を出力すると共に、この候補の中から前記制御信号により選択されたコンテンツを出力する出力手段と、
を備えることを特徴とするコンテンツ選択視聴装置。
【請求項２】
前記ユーザープリファレンスデータは、１週間の中で、特定曜日の特定時間帯において、前記視聴者が視聴する前記コンテンツの視聴傾向を示す素データの集合であることを特徴とする請求項１に記載のコンテンツ選択視聴装置。
【請求項３】
前記素データは、タイトル、ジャンル、編成チャンネルおよび出演者の少なくとも１個を含む項目について、前記視聴履歴を分析した分析結果が予め設定した閾値以上の出現率を有した事象で構成されることを特徴とする請求項２に記載のコンテンツ選択視聴装置。
【請求項４】
前記出現率は、前記素データを計測する特定曜日の特定時間帯における全視聴時間の累積を分母とし、前記事象の視聴時間の累積を分子として算出することを特徴とする請求項３に記載のコンテンツ選択視聴装置。
【請求項５】
視聴者がコンテンツを視聴した視聴履歴に基づいて、当該視聴者の生活時間に適応する生活時間適応コンテンツの候補を提示することによって、当該生活時間適応コンテンツの候補を選択して視聴するコンテンツ選択視聴方法であって、
前記コンテンツおよびこのコンテンツの識別情報であるメタデータを受信するコンテンツ受信ステップと、
このコンテンツ受信ステップにおいて受信したコンテンツおよびメタデータを記録部に記録するコンテンツメタデータ記録ステップと、
前記視聴者が視聴した前記コンテンツを前記メタデータに基づき各曜日の所定時間帯別にまとめた視聴履歴に基づいて、前記生活時間適応コンテンツに関する情報であるユーザープリファレンスデータを生成するユーザープリファレンスデータ生成ステップと、
このユーザープリファレンスデータ生成ステップにおいて生成されたユーザープリファレンスデータを前記記録部に記録するユーザープリファレンスデータ記録ステップと、
前記視聴者の操作入力によって制御信号を出力する制御信号出力ステップと、
この制御信号出力ステップによって出力された制御信号と、前記メタデータと、前記ユーザープリファレンスデータとに基づいて、前記生活時間適応コンテンツの候補を検索するコンテンツ検索フィルタリングステップと、
このコンテンツ検索フィルタリングステップにて検索された生活時間適応コンテンツの候補を提示する生活時間適応コンテンツ提示ステップと、
この生活時間適応コンテンツ提示ステップにおいて提示された生活時間適応コンテンツの候補の中から前記制御信号により選択されたコンテンツを出力するコンテンツ出力ステップと、
を含むことを特徴とするコンテンツ選択視聴方法。
【請求項６】
視聴者がコンテンツを視聴した視聴履歴に基づいて、当該視聴者の生活時間に適応する生活時間適応コンテンツの候補を提示することによって、当該生活時間適応コンテンツの候補を選択して視聴する装置を、
前記コンテンツおよびこのコンテンツの識別情報であるメタデータを受信するコンテンツ受信手段、
このコンテンツ受信手段で受信したコンテンツおよびメタデータを記録部に記録するためのコンテンツメタデータ記録手段、
前記視聴者が視聴した前記コンテンツを、前記メタデータに基づいて、各曜日の所定時間帯別にまとめた視聴履歴に基づいて、前記生活時間適応コンテンツに関する情報であるユーザープリファレンスデータを生成するユーザープリファレンスデータ生成手段、
このユーザープリファレンスデータ生成手段で生成されたユーザープリファレンスデータを前記記録部に記録するためのユーザープリファレンスデータ記録手段、
前記視聴者の操作入力によって制御信号を出力する制御信号出力手段、
この制御信号出力手段によって出力された制御信号と、前記メタデータと、前記ユーザープリファレンスデータとに基づいて、前記生活時間適応コンテンツの候補を検索するコンテンツ検索フィルタリング手段、
このコンテンツ検索フィルタリング手段で検索された生活時間適応コンテンツの候補を提示する生活時間適応コンテンツ提示手段、
この生活時間適応コンテンツ提示手段で提示された生活時間適応コンテンツの候補の中から前記制御信号により選択されたコンテンツを出力するコンテンツ出力手段、
として機能させることを特徴とするコンテンツ選択視聴プログラム。
【発明の詳細な説明】
【０００１】
【発明の属する技術分野】
本発明は、視聴者が所望するコンテンツを提示して、コンテンツの選択視聴を支援するコンテンツ選択視聴装置、コンテンツ選択視聴方法およびコンテンツ選択視聴プログラムに関する。
【０００２】
【従来の技術】
従来、視聴者が視聴したコンテンツの視聴履歴（視聴履歴データ）に基づいて、当該視聴者が所望する（視聴したいと思う）コンテンツの一覧をユーザープリファレンスとして生成し、このユーザープリファレンスを視聴者に提示することによって、放送中のコンテンツ、または、蓄積したコンテンツのいずれかを視聴者に選択させて視聴させるコンテンツ選択視聴が行われている。
【０００３】
ここで、従来の視聴履歴データの生成例を図７に、従来のユーザープリファレスの生成例を図８に示して、これらを説明する。
【０００４】
図７に示すように、視聴履歴データは、視聴者が視聴したコンテンツについて、当該コンテンツに付加されているメタデータ（放送局から送られたメタデータ）に基づいて、更新（視聴履歴更新）されるものであり、コンテンツの名称である「タイトル」と、出演者の名前である「出演者」と、コンテンツのジャンル（属性）を示す「ジャンル」と、コンテンツを検索するための検索語となる「フリーキーワード」の４個の分野に分類される。そして、それぞれの分野は、コンテンツを視聴した累積視聴時間である「視聴時間」と、この累積視聴時間に基づいて当該視聴者が当該コンテンツを好んでいる度合い（嗜好度）を算出するための数値である「重み付け値」とを含んでいる。なお、この「重み付け値」は、「視聴時間」そのものとして設定したものや、一定の規則に従って、「視聴時間」の長さに伴って増減するように設定したものである。
【０００５】
また、図８に示すように、ユーザープリファレンスは、メタデータ（検索対象のコンテンツメタデータ）に含まれている番組の「タイトル」、「ジャンル」、「出演者」に基づいて、視聴者が嗜好するコンテンツの嗜好度を計算し、このコンテンツの嗜好度に基づいて、蓄積しているコンテンツおよび放送予定のコンテンツをフィルタリングしたものである。すなわち、このユーザープリファレンスは、すべての視聴履歴データから視聴者毎に、つまり、１人の視聴者に対して１個のファイルとして生成されるもので、予め、タイトル、ジャンル、出演者等の項目と、この項目を纏める順番とが定型として設定されているひな形に、特に視聴時間の長かったコンテンツを嗜好の強い（嗜好度が高い）ものとして採択（抽出）したものである。
【０００６】
そして、このユーザープリファレンス（嗜好度の総和が大きい順番に提示したコンテンツ群）がテレビモニタの表示画面に表示され、このユーザーリファレンスの中に含まれているコンテンツが視聴者に選択され、コンテンツ選択視聴が行われている。なお、視聴者の嗜好にあったコンテンツ（情報）を当該視聴者に提示するシステムとして、例えば、特許文献１に開示されているものがある。
【０００７】
【特許文献１】
特開２０００−９９４４１号公報（段落２４−段落４２、第２図）
【０００８】
【発明が解決しようとする課題】
しかしながら、近年、多メディア、多チャンネル化によって、提供されるコンテンツが膨大になり、現在放送中のコンテンツ、通信ネットワークを介して配信されるコンテンツおよび蓄積したコンテンツ等から多くの選択肢が存在し、その中から、視聴者の嗜好にあった適切なコンテンツを、当該視聴者に提示して視聴させることが、従来のコンテンツ選択視聴では、提供されるコンテンツの数量に対応しきれないという問題がある。つまり、視聴者がコンテンツを視聴しようとする度に、毎回視聴者自身が求める情報や、好みの番組を検索し、選択し、視聴することは視聴者に大きな労力がかかることになり、ひいては提供されている膨大なコンテンツを有効に活用できないといった事態が生じている。
【０００９】
また、現在までに、視聴者の嗜好度（嗜好情報）を反映したコンテンツの検索、提示の手法（システム）が検討されてきたが、視聴者の嗜好度に対応した一定の検索結果しか提示することができず、視聴者の生活のあらゆる場面（視聴者の生活スタイル［生活時間］）に対応して変化するコンテンツ（視聴者の所望するもの）を提示することができないという問題がある。
【００１０】
さらに、従来のコンテンツ選択視聴を提供するシステムのアルゴリズムは、視聴時間の長いコンテンツが嗜好度の高いものとして判断される傾向があるので、ユーザープリファレンスにおいて、映画や長時間ドラマ等の視聴時間が長時間に及ぶコンテンツが嗜好の強い（嗜好度が高い）ものとして採択される結果が生じていた。このため、従来のコンテンツ選択視聴を提供するシステムを使用して、視聴者が出勤、登校前等に、天気予報や交通情報を提供しているニュース等を視聴したい場合には、当該ニュースが選択されないという場合が生じ、視聴者の生活時間に適応したコンテンツを提供することができないという問題がある。
【００１１】
そこで、本発明の目的は前記した従来の技術が有する課題を解消し、提供されている膨大なコンテンツの数量に対応し、視聴者の生活スタイル、生活時間にあったコンテンツを提示して、コンテンツ選択視聴を行うことができるコンテンツ選択視聴装置、コンテンツ選択視聴方法およびコンテンツ選択視聴プログラムを提供することにある。
【００１２】
【課題を解決するための手段】
本発明は、前記した目的を達成するため、以下に示す構成とした。
請求項１記載のコンテンツ選択視聴装置は、視聴者がコンテンツを視聴した視聴履歴に基づいて、当該視聴者の生活時間に適応する生活時間適応コンテンツの候補を提示することによって、当該生活時間適応コンテンツの候補を選択して視聴するコンテンツ選択視聴装置であって、コンテンツ受信手段と、コンテンツメタデータ記録手段と、視聴履歴記録手段と、ユーザープリファレンスデータ生成手段と、ユーザープリファレンスデータ記録手段と、制御信号出力手段と、コンテンツ検索フィルタリング手段と、出力手段と、を備える構成とした。
【００１３】
かかる構成によれば、コンテンツ選択視聴装置は、コンテンツ受信手段によって、コンテンツおよびコンテンツの識別情報であるメタデータを受信し、この受信したコンテンツおよびメタデータを、コンテンツメタデータ記録手段によって記録する。続いて、コンテンツ選択視聴装置は、視聴者が視聴したコンテンツを各曜日の所定時間帯別にまとめた視聴履歴を視聴履歴記録手段に記録し、この視聴履歴に基づいて、ユーザープリファレンスデータ生成手段によって、視聴者個人個人の生活時間（生活スタイル）に適応した生活時間適応コンテンツに関する情報であるユーザープリファレンスを生成し、ユーザープリファレンス記録手段に記録する。
【００１４】
そして、コンテンツ選択視聴装置は、制御信号出力手段によって出力された制御信号、メタデータおよびユーザープリファレンスデータに基づいて、コンテンツ検索フィルタリング手段によって、生活時間適応コンテンツの候補を検索し、出力手段によって、当該生活時間適応コンテンツの候補を出力すると共に、提示した生活時間適応コンテンツの候補の中から、制御信号によって選択されたコンテンツを出力する。
【００１５】
請求項２記載のコンテンツ選択視聴装置は、請求項１に記載のコンテンツ選択視聴装置において、前記ユーザープリファレンスデータは、１週間の中で、特定曜日の特定時間帯において、前記視聴者が視聴する前記コンテンツの視聴傾向を示す素データの集合であることを特徴とする。
【００１６】
かかる構成によれば、コンテンツ視聴支援装置のユーザープリファレンスデータ生成手段によって生成するユーザープリファレンスは、１週間の中で特定曜日の特定時間帯、例えば、月曜日の午後９時から１０時までの間、或いは、月曜日から金曜日まで午前８時から８時３０分までの間に視聴者が視聴するであろうコンテンツの視聴傾向を示す素データ（例えば、メタデータの一部）の集合によって構成されている。なお、視聴傾向は、例えば、月曜日の午後９時から１０時までの間では、「ドラマ」が視聴される傾向にあるとか、月曜日から金曜日まで午前８時から８時３０分までの間では「ニュース」（情報番組）が視聴される傾向にあるといったものである。
【００１７】
請求項３記載のコンテンツ選択視聴装置は、請求項２に記載のコンテンツ選択視聴装置において、前記素データは、タイトル、ジャンル、編成チャンネルおよび出演者の少なくとも１個を含む項目について、前記視聴履歴を分析した分析結果が予め設定した閾値以上の出現率を有する事象で構成されることを特徴とする。
【００１８】
かかる構成によれば、コンテンツ視聴支援装置のユーザープリファレンスデータ生成手段によって生成するユーザープリファレンスを構成する素データは、タイトル、ジャンル、編成チャンネルおよび出演者の少なくとも１個を含む項目について、視聴履歴を分析した分析結果が予め設定した閾値以上の出現率を有する事象によって構成されている。つまり、素データは、視聴者の視聴したコンテンツを記録した視聴履歴を、４個の項目について分析した分析結果が一定以上の確率（閾値以上の出現率）で出現したものである。事象とは、タイトル、ジャンル、編成チャンネルおよび出演者の少なくとも１個を含む項目における具体的なタイトル名、ジャンル名、編成チャンネルの番号、出演者名である。例えば、コンテンツのタイトル名が「プ○ジェク○○」である場合、この「プ○ジェク○○」というタイトル名そのものが事象を示すものである。
【００１９】
請求項４記載のコンテンツ選択視聴装置は、請求項３に記載のコンテンツ選択視聴装置において、前記出現率は、前記素データを計測する特定曜日の特定時間帯における全視聴時間の累積を分母とし、前記事象の視聴時間の累積を分子として算出することを特徴とする。
【００２０】
かかる構成によれば、ユーザープリファレンスデータ生成手段によって生成するユーザープリファレンスを構成する素データを設定するための基準となる出現率は、素データを計測する特定曜日の特定時間帯における全視聴時間の累積を分母とし、事象の視聴時間の累積を分子として算出するものである。例えば、木曜日の午後９時から１０時まで（特定曜日の特定時間帯）における全視聴時間（例えば、３ヶ月分、つまり、１２週分［１２時間］）の中で、「ドラマＡ」を視聴した視聴時間が７時間であれば、出現率は７／１２ということになる。
【００２１】
請求項５記載のコンテンツ選択視聴方法は、視聴者がコンテンツを視聴した視聴履歴に基づいて、当該視聴者の生活時間に適応する生活時間適応コンテンツの候補を提示することによって、当該生活時間適応コンテンツの候補を選択して視聴するコンテンツ選択視聴方法であって、コンテンツ受信ステップと、コンテンツメタデータ記録ステップと、ユーザープリファレンスデータ生成ステップと、ユーザープリファレンスデータ記録ステップと、制御信号出力ステップと、コンテンツ検索フィルタリングステップと、生活時間適応コンテンツ提示ステップと、コンテンツ出力ステップと、を含むものとした。
【００２２】
これらのステップによれば、コンテンツ選択視聴方法は、コンテンツ受信ステップにおいて、コンテンツおよびこのコンテンツの識別情報であるメタデータを受信し、受信したコンテンツおよびメタデータを、コンテンツメタデータ記録ステップにおいて、記録部に記録する。続いて、このコンテンツ選択視聴方法は、ユーザープリファレンスデータ生成ステップにおいて、視聴者が視聴したコンテンツをメタデータに基づき各曜日の所定時間帯別にまとめた視聴履歴に基づいて、生活時間適応コンテンツに関する情報であるユーザープリファレンスデータを生成し、この生成したユーザープリファレンスデータを、ユーザープリファレンスデータ記録ステップにおいて記録部に記録する。そして、このコンテンツ選択視聴方法は、制御信号出力ステップにて出力されたコンテンツの視聴にかかる制御信号と、メタデータおよびユーザープリファレンスデータとに基づいて、コンテンツ検索フィルタリングステップにおいて生活時間適応コンテンツの候補を検索し、この検索した生活時間適応コンテンツの候補を、生活時間適応コンテンツ提示ステップにおいて提示する。その後、このコンテンツ選択視聴方法は、提示されている生活時間適応コンテンツの候補の中から制御信号によって選択されたコンテンツをコンテンツ出力ステップにおいて出力する。
【００２３】
請求項６記載のコンテンツ選択視聴プログラムは、視聴者がコンテンツを視聴した視聴履歴に基づいて、当該視聴者の生活時間に適応する生活時間適応コンテンツの候補を提示することによって、当該生活時間適応コンテンツの候補を選択して視聴する装置を、コンテンツ受信手段、コンテンツメタデータ記録手段、ユーザープリファレンスデータ生成手段、ユーザープリファレンスデータ記録手段、制御信号出力手段、コンテンツ検索フィルタリング手段、生活時間適応コンテンツ提示手段、コンテンツ出力手段、として機能させる構成とした。
【００２４】
かかる構成によれば、コンテンツ選択視聴プログラムは、コンテンツ受信手段によって、コンテンツおよびコンテンツの識別情報であるメタデータを受信し、この受信したコンテンツおよびメタデータを、コンテンツメタデータ記録手段によって記録部に記録する。続いて、コンテンツ選択視聴プログラムは、視聴者が視聴したコンテンツを各曜日の所定時間帯別にまとめた視聴履歴に基づいて、ユーザープリファレンスデータ生成手段によって、視聴者個人個人の生活時間（生活スタイル）に適応した生活時間適応コンテンツに関する情報であるユーザープリファレンスを生成し、ユーザープリファレンス記録手段によって記録部に記録する。
【００２５】
そして、コンテンツ選択視聴プログラムは、制御信号出力手段によって出力された制御信号、メタデータおよびユーザープリファレンスデータに基づいて、コンテンツ検索フィルタリング手段によって、生活時間適応コンテンツの候補を検索し、生活時間適応コンテンツ提示手段によって、当該生活時間適応コンテンツの候補を提示する。その後、コンテンツ選択支援プログラムは、コンテンツ出力手段によって、提示した生活時間適応コンテンツの候補の中から、制御信号によって選択されたコンテンツを出力する。
【００２６】
【発明の実施の形態】
以下、本発明の一実施の形態について、図面を参照して詳細に説明する。
（コンテンツ選択視聴装置の構成）
コンテンツ選択視聴装置のブロック図を図１に示す。この図１に示すように、コンテンツ選択視聴装置１は、コンテンツを受信して当該装置１のユーザーである視聴者の嗜好にあった、特に、当該視聴者の生活スタイルに適応したコンテンツの候補を提示して、この候補の中からコンテンツを選択して視聴するコンテンツ選択視聴を実現するもので、受信部３と、入力部５と、入力切替出力部７と、コンテンツメタデータ群蓄積部９と、ＭＰＥＧデコーダ部１１と、視聴履歴記録部１３と、ユーザープリファレンスデータ生成部１５と、ユーザープリファレンスデータ記録部１７と、検索フィルタリング部１９と、表示出力部２１とを備えている。なお、このコンテンツ選択視聴装置１は、ＭＰＥＧ−２（コンテンツ）を受信する受信機能を備えると共に、大容量のハードディスクや、ＤＶＤ書込機能等を搭載したホームサーバによって構成されているものである。
【００２７】
受信部３は、放送波によって、または、通信回線を通じて送信側から送信されたＭＰＥＧ２−ＴＳ（コンテンツ；映像、音声、データ）を受信して、この受信したＭＰＥＧ２−ＴＳ（コンテンツ）をコンテンツメタデータ群蓄積部９に出力すると共に、入力部５から入力されるチャンネル選択制御信号に基づいて、該当チャンネルのＭＰＥＧ２−ＴＳ（コンテンツ）を入力切替出力部７に出力するものである。この受信部３が特許請求の範囲に記載したコンテンツ受信手段に相当するものである。
【００２８】
入力部５は、当該装置１のユーザー（視聴者）が、当該装置１を操作して、各種の制御信号を入力するものである。この制御信号には、受信部３に出力するチャンネル選択制御信号と、入力切替出力部７に出力する入力切替出力制御信号と、コンテンツメタデータ群蓄積部９に出力するコンテンツ選択制御信号と、検索フィルタリング部１９に出力するコンテンツ検索制御信号とがある。なお、この入力部５が特許請求の範囲に記載した制御信号入力手段に相当するものである。
【００２９】
チャンネル選択制御信号は、受信部３から入力切替出力部７に出力するＭＰＥＧ２−ＴＳ（コンテンツ）のチャンネルを制御するものである。
【００３０】
入力切替出力制御信号は、入力切替出力部７に入力されるＭＰＥＧ２−ＴＳ（コンテンツ）が受信部３から入力されるか、コンテンツメタデータ群蓄積部９から入力されるかによって、ＭＰＥＧデコーダ部１１に出力するＭＰＥＧ２−ＴＳ（コンテンツ）を制御するものである。
【００３１】
コンテンツ選択制御信号は、コンテンツの選択候補（検索フィルタリング部１９から出力されたメタデータ提示制御信号に基づくもの）が表示出力部２１に提示（表示）された後に、視聴者に提示されているＭＰＥＧ２−ＴＳ（コンテンツ）の選択候補の中からＭＰＥＧ２−ＴＳ（コンテンツ［予めコンテンツメタデータ群蓄積部９に蓄積されているコンテンツ］）を選択した場合に、コンテンツメタデータ群蓄積部９から当該ＭＰＥＧ２−ＴＳ（コンテンツ）を出力させるものである。
【００３２】
コンテンツ検索制御信号は、検索フィルタリング部１９を制御するためのもので、当該検索フィルタリング部１９に対して、メタデータとユーザープリファレンスデータとに基づいて、視聴者の嗜好に合ったＭＰＥＧ２−ＴＳ（コンテンツ）を検索するフィルタリングを実行させるためのものである。
【００３３】
入力切替出力部７は、入力部５から出力された入力切替出力制御信号に基づいて、受信部３から出力されるＭＰＥＧ２−ＴＳ（コンテンツ）またはコンテンツメタデータ群蓄積部９に蓄積されているＭＰＥＧ２−ＴＳ（コンテンツ）を切り替えて、ＭＰＥＧデコーダ部１１に出力すると共に、当該ＭＰＥＧデコーダ部１１に出力したＭＰＥＧ２−ＴＳ（コンテンツ）に付加されている、コンテンツの識別情報であるメタデータを「視聴履歴データ」として視聴履歴記録部１３に出力するものである。なお、この入力切替出力部７が特許請求の範囲に記載したコンテンツ出力手段に相当するものである。
【００３４】
コンテンツメタデータ群蓄積部９は、ＭＰＥＧ２−ＴＳ（コンテンツ）およびこのＭＰＥＧ２−ＴＳ（コンテンツ）に付加されている、コンテンツの識別情報であるメタデータ（メタデータ群）を記録するものである。また、このコンテンツメタデータ群蓄積部９は、入力部５から出力されたコンテンツ選択制御信号に基づいて、ＭＰＥＧ２−ＴＳ（コンテンツ）を入力切替出力部７に出力すると共に、検索フィルタリング部１９から出力されるメタデータ出力制御信号に基づいて、メタデータを当該検索フィルタリング部１９に出力するものである。さらに、このコンテンツメタデータ群蓄積部９は、メタデータ提示制御信号に基づいて、検索結果となるメタデータ（コンテンツの選択候補）を、入力部切替出力部７に出力することで、ＭＰＥＧデコーダ部１１を介して表示出力部２１に提示（表示）させるものである。このコンテンツメタデータ群蓄積部９が特許請求の範囲に記載したコンテンツメタデータ記録手段に相当するものである。
【００３５】
ＭＰＥＧデコーダ部１１は、コンテンツメタデータ群蓄積部９から出力されたコンテンツの選択候補（検索フィルタリング部１９でフィルタリングした結果（検索結果となるメタデータ））と、ＭＰＥＧ２−ＴＳ（コンテンツ）とをデコード（復号）して、コンテンツの選択候補、元々のコンテンツとして、表示出力部２１に出力するものである。なお、このＭＰＥＧデコーダ部１１が特許請求の範囲に記載した出力手段に相当するものである。
【００３６】
視聴履歴記録部１３は、入力切替出力部７から出力される視聴履歴データを記録するものであり、ユーザープリファレンスデータ生成部１５から出力される視聴履歴データ出力制御信号に基づいて、当該ユーザープリファレンスデータ生成部１５に視聴履歴データを出力するものである。この視聴履歴データは、視聴者個人個人に対して、視聴者が視聴したコンテンツの素データ（メタデータ）を特定曜日の特定時間帯毎に纏められたものであり、視聴者が視聴した複数のコンテンツと視聴時間とが１個のファイルとして纏められたものである（詳細については図４を使用して後記する）。なお、この視聴履歴記録部１３が特許請求の範囲に記載した視聴履歴記録手段に相当するものである。
【００３７】
ユーザープリファレンスデータ生成部１５は、視聴履歴データ出力制御信号を視聴履歴記録部１３に出力して、視聴履歴データを受信し、この視聴履歴データに基づいて、ユーザープリファレンスデータを生成し、ユーザープリファレンスデータ記録部１７に出力するものである。また、このユーザープリファレンスデータ生成部１５は、検索フィルタリング部１９から出力されたユーザープリファレンスデータ生成制御信号に従って、ユーザープリファレンスデータを生成し、ユーザープリファレンスデータ記録部１７に出力するものである。
【００３８】
ユーザープリファレンスデータは、視聴者個人個人の生活時間（生活スタイル）に適応した生活時間適応コンテンツに関する情報であり、詳細は図３および図５を使用して後記する。なお、このユーザープリファレンスデータ生成部１５が特許請求の範囲に記載したユーザープリファレンスデータ生成手段に相当するものである。
【００３９】
ユーザープリファレンスデータ記録部１７は、ユーザープリファレンスデータ生成部１５で生成されたユーザープリファレンスデータを記録すると共に、検索フィルタリング部１９から出力されたユーザープリファレンスデータ出力制御信号に基づいて、ユーザープリファレンスデータを当該検索フィルタリング部１９に出力するものである。このユーザープリファレンスデータ記録部１７が特許請求の範囲に記載したユーザープリファレンス記録手段に相当するものである。
【００４０】
検索フィルタリング部１９は、入力部５から出力されたコンテンツ検索制御信号に基づいて、コンテンツメタデータ群蓄積部９にメタデータ出力制御信号を出力すると共に、ユーザープリファレンスデータ生成部１５にユーザープリファレンス生成制御信号を出力し、さらに、ユーザープリファレンスデータ記録部１７にユーザープリファレンスデータ出力制御信号を出力し、メタデータおよびユーザープリファレンスデータを受信して、これらに基づいて、フィルタリングした結果（検索結果となるメタデータ）であるメタデータ提示制御信号をコンテンツメタデータ群蓄積部９に出力するものである。このメタデータ提示制御信号によって、コンテンツメタデータ群蓄積部９から、入力切替出力部７およびＭＰＥＧデコーダ部１１を介して、検索結果となるメタデータが「コンテンツの選択候補」（生活時間適応コンテンツの候補）として表示出力部２１に提示（表示）されることになる。なお、この検索フィルタリング部１９が特許請求の範囲に記載したコンテンツ検索フィルタリング手段に相当するものである。
【００４１】
表示出力部２１は、検索フィルタリング部１９から出力された「コンテンツの選択候補」（生活時間適応コンテンツの候補）を出力すると共に、ＭＰＥＧデコーダ部１１でデコードされたコンテンツを表示出力するものである。
【００４２】
このコンテンツ選択視聴装置１によれば、受信部３によって、コンテンツおよびコンテンツの識別情報であるメタデータを受信し、この受信したコンテンツおよびメタデータをコンテンツメタデータ群蓄積部９に蓄積する。続いて、コンテンツ選択視聴装置１は、視聴者が視聴したコンテンツを各曜日の所定時間帯別にまとめた視聴履歴データを視聴履歴記録部１３に記録し、この視聴履歴データに基づいて、ユーザープリファレンスデータ生成部１５によって、視聴者個人個人の生活時間（生活スタイル）に適応した生活時間適応コンテンツに関する情報であるユーザープリファレンスを生成し、ユーザープリファレンス記録部１７に記録する。そして、コンテンツ選択視聴装置１は、入力部５によって入力されたコンテンツ検索制御信号、メタデータおよびユーザープリファレンスデータに基づいて、検索フィルタリング部１９によって、コンテンツの選択候補を検索し、表示出力部２１によって、当該コンテンツの選択候補を提示する。その後、コンテンツ選択視聴装置１は、入力切替出力部７によって、提示したコンテンツの選択候補の中から、コンテンツ選択制御信号によって選択されたコンテンツを出力する。このため、視聴履歴データに基づき生成されるユーザープリファレンスデータに基づいて、提供されている膨大なコンテンツの中から、視聴者の生活スタイル、生活時間にあったコンテンツが提示され、この提示されたコンテンツを視聴することで、視聴者はコンテンツ選択視聴を行うことができる。
【００４３】
（コンテンツ選択視聴装置の動作）
次に、図２に示すフローチャートを参照して、コンテンツ選択視聴装置１の動作について説明する（適宜、図１参照）。
まず、コンテンツ選択視聴装置１が一定期間使用されて、当該装置１のユーザーである視聴者が視聴したコンテンツに基づいて、視聴履歴データが視聴履歴記録部１３に記録される（Ｓ１）。続いて、この視聴履歴記録部１３に記録されている視聴履歴データが、ユーザープリファレンスデータ生成部１５から出力された視聴履歴データ出力制御信号に基づいて、当該ユーザープリファレンスデータ生成部１５に出力され、このユーザープリファレンスデータ生成部１５で、ユーザープリファレンスデータが生成される（Ｓ２）。
【００４４】
すると、このユーザープリファレンスデータ生成部１５で生成されたユーザープリファレンスデータがユーザープリファレンスデータ記録部１７に記録される（Ｓ３）。
【００４５】
そして、コンテンツ選択視聴装置１の受信部３でＭＰＥＧ２−ＴＳ（コンテンツ）が受信され、コンテンツメタデータ群蓄積部９に出力されると共に、チャンネル選択制御信号に基づいて入力切替出力部７に出力される（Ｓ４）。そのときに、入力部５からコンテンツ検索制御信号が検索フィルタリング部１９に入力されると、この検索フィルタリング部１９によって、メタデータおよびユーザープリファレンスデータに基づいて、表示出力部２１にコンテンツの選択候補（生活時間適応コンテンツの候補）を提示させるためのメタデータ提示制御信号がコンテンツメタデータ群蓄積部９に出力される（Ｓ５）。すると、表示出力部２１に、コンテンツの選択候補（生活時間適応コンテンツの候補）が表示（提示）される（Ｓ６）。
【００４６】
そしてさらに、入力部５によって、コンテンツの選択候補（生活時間適応コンテンツの候補）の中から生活時間適応コンテンツ（視聴者の所望のコンテンツ）が選択されたかどうかが判定される（Ｓ７）。そして、コンテンツの選択候補の中から生活時間適応コンテンツ（視聴者の所望のコンテンツ）が選択されるまで待機され（Ｓ７、Ｎｏ）選択された場合（Ｓ７、Ｙｅｓ）、生活時間適応コンテンツ（視聴者の所望のコンテンツ）が入力切替出力部７で切替出力され（Ｓ８）、ＭＰＥＧデコーダ部１１で、生活時間適応コンテンツ（視聴者の所望のコンテンツ）がデコードされコンテンツとして出力される（Ｓ９）。その後、表示出力部２１でコンテンツが出力表示される（Ｓ１０）。
【００４７】
（視聴履歴データについて）
次に、図３を参照して、視聴履歴データについて説明する（適宜、図１参照）。
図３は、コンテンツに付加されているメタデータ（視聴したコンテンツに関する放送局から送られたメタデータ）から視聴履歴データを更新していく仕方（視聴履歴を各曜日時間帯別に更新）を模式的に説明したものである。
【００４８】
コンテンツに付加されているメタデータ（視聴したコンテンツに関する放送局から送られたメタデータ）は、放送日「ＹＹ年ＭＭ月ＤＤ日」、放送開始時刻「ｈｈ時ｍｍ分ｓｓ秒」、放送終了時刻「ａａ時ｂｂ分ｃｃ秒」、タイトル「ＮＨＫニュース」、ジャンル「ニュース」、出演者「○○田○○子」等を含んでいる。
【００４９】
これらのメタデータに基づいて、視聴履歴データが各曜日時間帯別に更新されて、図３に例示したように、日曜００：００〜０６：００、日曜０６：００〜０６：３０、日曜０６：３０〜０７：００、日曜０７：００〜０７：１５、或いは、土曜００：００〜０６：００、土曜０６：００〜０６：３０、土曜０６：３０〜０７：００、土曜０７：００〜０７：１５といったように、各曜日の任意の時間幅（例えば、１５分、３０分、１時間、１時間３０分、２時間）の単位に纏められる。
【００５０】
そして、視聴履歴データの各単位には、視聴した日「ＹＹ年ＭＭ月ＭＭ日」、視聴開始時刻「ｅｅ時ｆｆ分ｇｇ秒」、視聴終了時刻「ｋｋ時ｎｎ分ｐｐ秒」、タイトル「ＮＨＫニュース」、ジャンル「ニュース」、出演者「○○田○○子」が含まれている。
【００５１】
（ユーザープリファレンスデータの素データについて）
次に、図４を参照して、ユーザープリファレンスデータの素データについて説明する（適宜、図１参照）。
図４は、視聴履歴データ（定曜日時間帯の視聴履歴データ）からユーザープリファレンスデータの素データを求める求め方を模式的に説明したものである。この図４に示したように、視聴履歴データ（定曜日時間帯の視聴履歴データ）は今週、先週、先先週・・・の各週を通じて、特定曜日の特定時間帯、例えば、日曜日のある時間帯である「時間幅＝ｍ（ｆ（ｔ））」の単位で纏められている。
なお、このｆ（ｔ）は、特定曜日の特定時間帯の中で、視聴しているコンテンツの視聴時間の変化を示したものである。
【００５２】
そして、この時間幅ｍ（ｆ（ｔ））のユーザープリファレンスの素データをＶＰｍ（ｆ（ｔ））とすると、例えば、月曜日の８時から８時半の素データであるＶＰ（月０８００＃０８３０）（数式（１））は図４に示したように、Ｘ（タイトル１）、Ｘ（タイトル２）・・・Ｘ（ジャンル１）・・・Ｘ（編成チャンネル１［チャンネル］）で表されることになる。そして、素データの要素ｉの属性値Ｘ（ｉ）（数式（２））は、Σ月０８００＃０８３０要素ｉの視聴時間／Σ月０８００＃０８３０コンテンツ視聴時間で表されることになる。
【００５３】
このように、ユーザープリファレンスデータが１週間の中で、特定曜日の特定時間帯において、視聴者が視聴するコンテンツの視聴傾向を示す素データの集合で表されている。
【００５４】
また、素データは、タイトル、ジャンル、編成チャンネルおよび出演者の少なくとも１個を含む項目について、視聴履歴データを分析した分析結果が予め設定した閾値以上の出現率の要素ｉ（事象）で構成されている。この出現率は、素データの要素ｉに係るコンテンツを視聴した視聴時間の総和を、各曜日の特定時間帯における全コンテンツの視聴時間の総和で除算した値である。
【００５５】
このため、素データで構成されるユーザープリファレンスデータに基づいて、提供されている膨大なコンテンツの中から、視聴者の好みにあったコンテンツを検索して、コンテンツ選択視聴を行うことができる。
【００５６】
（フィルタリングの仕方および出力例について）
次に、図５、図６を参照して、検索フィルタリング部１９によるフィルタリングの仕方および出力例（メタデータ提示制御信号に基づくもの）を説明する（適宜、図１参照）。図５、図６は、フィルタリングの仕方およびフィルタリングした際の出力例を模式的に説明したものである。
【００５７】
図５に示すように、まず、ユーザー（視聴者）がある時刻（月曜日の２０時２０分頃）に、コンテンツ選択視聴装置１を起動させ、何か面白い番組はないかと思い、当該装置１の入力部５を操作すると、この入力部５からコンテンツ検索制御信号が検索フィルタリング部１９に入力される（図５中「ユーザーが月曜日の２０時２０分頃、何か面白い番組はないかと検索をかける」）。
【００５８】
すると、検索フィルタリング部１９では、ユーザープリファレンスデータ生成部１５にユーザープリファレンスデータ生成制御信号が出力される。そして、ユーザープリファレンスデータ生成部１５は、視聴履歴データ出力制御信号を視聴履歴記録部１３に出力し、２０時２０分頃の近傍の視聴履歴データである「月曜１９：３０〜２０：００」、「月曜２０：００〜２１：００」、「月曜２１：００〜２３：００」を参照する（図５中「近傍の視聴履歴データを参照する」）。
【００５９】
そして、ユーザープリファレンスデータ生成部１５によってユーザープリファレンスデータの素データ（ＶＰ（月１９３０＃２０００））（数式（３））が生成される。この図５の例示では、視聴時間の総和が２０２６ｍｉｎ（２０２６分）であり、各要素であるタイトル「ＡＢＣ」は５２５／２０２６（視聴時間が５２５分）、・・・（略）・・・、ジャンル「ドラマ」は、９８０／２０２６（視聴時間が９８０分）となる。
【００６０】
また、ユーザープリファレンスデータはベクトルで表されることになり、ある値（閾値）以上の重み付けを持つ事象がベクトルの要素となる。
【００６１】
そして、検索フィルタリング部１９では、メタデータ出力制御信号をコンテンツメタデータ群蓄積部９に出力して、コンテンツメタデータ群蓄積部９（図６中、コンテンツメタデータ）に蓄積されているコンテンツのメタデータを受信し、このメタデータをベクトル化したメタデータベクトルＶＣ（ＡＢＣ）（該当する要素が存在する場合には「１」、該当する要素が存在しない場合には「０」としたもの、数式（４））で表す（図６中、検索対象のコンテンツの特徴量をベクトルで表す）。
【００６２】
すると、コンテンツ嗜好度（視聴者が所望するコンテンツの度合い）の計算は、メタデータベクトルＶＣ（ＡＢＣ）とユーザープリファレンスデータの素データ（ＶＰ（月１９３０＃２０００））との内積（数式（５））となり、この内積の結果が大きいものほどユーザー（視聴者）の要求が高いコンテンツである判断され、表示出力部２１（図６中、テレビモニタ）に表示されることになる。
【００６３】
以上、一実施形態に基づいて本発明を説明したが、本発明はこれに限定されるものではない。
例えば、コンテンツ選択視聴装置１の各構成の処理を一つずつの過程ととらえたコンテンツ選択視聴方法とみなすことや、コンテンツ選択視聴装置１の各構成の処理を汎用的なコンピュータ言語で記述したコンテンツ選択視聴プログラムとみなすことも可能である。
【００６４】
【発明の効果】
請求項１、５、６記載の発明によれば、コンテンツの識別情報であるメタデータと視聴履歴とに基づいて、視聴者個人個人の生活時間（生活スタイル）に適応した生活時間適応コンテンツに関する情報であるユーザープリファレンスデータが生成される。このユーザープリファレンスデータに基づいて、提供されている膨大なコンテンツの中から、視聴者の生活スタイル、生活時間にあったコンテンツが提示され、この提示されたコンテンツを視聴することで、視聴者はコンテンツ選択視聴を行うことができる。
【００６５】
請求項２、３、４記載の発明によれば、ユーザープリファレンスデータが素データで構成され、この素データは、タイトル、ジャンル、編成チャンネルおよび出演者の少なくとも１個を含む分野について、視聴履歴を分析した分析結果が予め設定した閾値以上の出現率の事象で構成され、さらに、この出現率が、素データを計測する特定曜日の特定時間帯における全視聴時間の累積を分母とし、事象の視聴時間の累積を分子として算出されているので、視聴者の生活時間（特定曜日の特定時間帯におけるコンテンツ視聴）に適応した生活時間適応コンテンツを検索することができる。
【図面の簡単な説明】
【図１】本発明による一実施の形態であるコンテンツ選択視聴装置のブロック図である。
【図２】図１に示したコンテンツ選択視聴装置の動作を説明したフローチャートである。
【図３】コンテンツに付加されているメタデータから視聴履歴データを更新していく仕方を模式的に説明した図である。
【図４】視聴履歴データからユーザープリファレンスデータの素データを求める求め方を模式的に説明した図である。
【図５】フィルタリングの仕方を模式的に説明した図である。
【図６】フィルタリングした際の出力例を模式的に説明した図である。
【図７】従来の視聴履歴データの生成例を説明した図である。
【図８】従来のユーザープリファレスの生成例を説明した図である。
【符号の説明】
１        コンテンツ選択視聴装置
３        受信部
５        入力部
７        入力切替出力部
９        コンテンツメタデータ群蓄積部
１１      ＭＰＥＧデコーダ部
１３      視聴履歴記録部
１５      ユーザープリファレンスデータ生成部
１７      ユーザープリファレンスデータ記録部
１９      検索フィルタリング部
２１      表示出力部
【図１】
2004297605.tif 000003
【図２】
2004297605.tif 000004
【図３】
2004297605.tif 000005
【図４】
2004297605.tif 000006
【図５】
2004297605.tif 000007
【図６】
2004297605.tif 000008
【図７】
2004297605.tif 000009
【図８】
2004297605.tif 000010